(57)【要約】      （修正有）【課題】記号キー、Ｒｅｔｕｒｎキー、左・Ｓｈｉｆｔキー、右・Ｓｈｉｆｔキー、Ｂａｃｋ  Ｓｐａｃｅキー等の増設と適切な配置を行い、本来の外国語入力、ローマ字入力及び親指シフト入力を効率よく入力可能とするＵＳキーボードを提供する。【解決手段】キーボード１列目は、２列目の「Ｂ」キーの縦中心線の１列目左側に、左から増設Ｒｅｔｕｒｎキー１と増設左・Ｓｈｉｆｔキー２を並べて配置する。「Ｂ」キー縦中心線１列目右側に左から増設右・Ｓｈｉｆｔキー３とＳｐａｃｅキー４を並べて配置する。増設左・Ｓｈｉｆｔキーは日本語入力時には「無変換」機能を有し、増設右・Ｓｈｉｆｔキーは「変換」機能を有する。キーボード２列目はＳｈｉｆｔキー５を「？／」キーの右隣に配置する。キーボード３列目は記号「：；」キーの右隣に、Ｂａｃｋ  Ｓｐａｃｅキー６とＲｅｔｕｒｎキー７を並べて配置する。【選択図】図１
2019192183.tif 000002
【特許請求の範囲】
【請求項１】
キーボード１列目。２列目のＢキーの縦中心線の１列目左側に、左からＲｅｔｕｒｎキー（１）を増設、左・Ｓｈｉｆｔキー（２）と共に左親指で打鍵するキー２個を配置する。更にＢキー縦中心線の１列目右側に、左から右・Ｓｈｉｆｔキー（３）を増設、Ｓｐａｃｅキー（４）と共に右親指で打鍵するキー２個を配置した新標準ＵＳキーボード。左・Ｓｈｉｆｔキーは日本語入力時には「無変換」機能を有し、右・Ｓｈｉｆｔキーは同様に「変換」機能を有する。
【請求項２】
キーボード２列目。右・Ｓｈｉｆｔキー（５）を「？／」キーの右隣に配置したキーボード。
【請求項３】
キーボード３列目。右小指ホームポジション「：；」キーの右隣に、左からＢａｃｋ  Ｓｐａｃｅキー（６）とＲｅｔｕｒｎキー（７）を配置したキーボード。
【発明の詳細な説明】
【技術分野】
【０００１】  本発明はコンピュータのＵＳキーボードに於いて、文字入力中の両手の打鍵範囲を限りなく狭められる適切な位置にキーを配置し、思考を妨げることなく文字入力の高効率化を目指し、入力モードは，英文、ローマ字、本格的な親指シフト等の３モード入力を可能とするキー配列のＵＳキーボードに関するものである。
【背景技術】
【０００２】  現行ＵＳキーボードで英文入力時には、ＳｈｉｆｔキーとＲｅｔｕｒｎキー等は、右手ホームポジションから離れて入力作業は非能率的である。またＵＳキーボード使用の日本語入力はローマ字入力を余儀なくされている利用者が圧倒的に多く、入力作業は決して快適なものではない。
【発明の概要】
【発明が解決しようとする課題】
【０００３】  本発明は、キーボードで文字入力中、両手・全指の打鍵範囲を限りなく狭めて、且つ各指のホームポジションから限りなく離れない位置で入力作業することを鉄則とし、利用者の思考を妨げない入力が可能なキー配列のキーボードを提供する。【０００４】  本発明ＵＳキーボードの狙いは、文字キーの配列は変更せずに、記号、Ｒｅｔｕｒｎ、Ｓｈｉｆｔ、Ｓｐａｃｅ、Ｂａｃｋ  Ｓｐａｃｅ等キーの増設と適切な配置を行い、本来の英文入力時の高効率化と、日本語入力モード時はローマ字入力と本格的な親指シフト入力を可能とするキーボードを提供する。
【課題を解決するための手段】
【０００５】  キーボード１列目。２列目のＢキーの縦中心線の１列目左側に、左から左親指で打鍵するＲｅｔｕｒｎキー１を増設し、次いで左・Ｓｈｉｆｔキー２を並べて配置する。更にＢキー縦中心線１列目右側に、左から右・Ｓｈｉｆｔキー３を増設し、Ｓｐａｃｅキー４を並べて配置する。左・Ｓｈｉｆｔキー日本語入力モード時には「無変換」の機能を有し、右・Ｓｈｉｆｔキーは「変換」の機能を有する。【０００６】  キーボード２列目。Ｓｈｉｆｔキー５を、ホームポジション圏により近づけるべく、記号「？／」キーの右隣に配置する。【０００７】  キーボード３列目。記号「：；」キーの右隣に、Ｂａｃｋ  Ｓｐａｃｅキー６とＲｅｔｕｒｎキー７を配置する。
【発明の効果】
【０００８】  本発明によるキーボードでは、英文、ローマ字、本格的親指シフトの３入力モードが可能となる。【０００９】  本発明に於いては、効き指ながらも比較的打鍵機会の少ない左親指に、Ｅｎｔｅｒキー打鍵を割り当てることで、英文入力時のＳｈｉｆｔキー打鍵も従来の小指打鍵に代わって親指打鍵が可能となる。それぞれの入力モード（英文、親指シフト、ローマ字）での、右手指の負担軽減となる。とりわけローマ字入力時のかな漢字変換・選択後の「確定」行為は、Ｅｎｔｅｒキーを頻繁に打鍵するので、右手指の負担が大きく軽減される。【０００１０】  キーボード右側の、Ｂａｃｋ  Ｓｐａｃｅ、Ｓｈｉｆｔ、Ｅｎｔｅｒ等キーを、右手ホームポジション圏に、より近づけることで右手指の打鍵範囲が狭められ、入力作業者の思考を妨げない自然な文字入力の高効率化に寄与する。
【図１】
2019192183.tif 000003
【手続補正書】
【提出日】平成30年8月31日(2018.8.31)
【手続補正１】
【補正対象書類名】明細書
【補正対象項目名】全文
【補正方法】変更
【補正の内容】
【発明の詳細な説明】
【技術分野】
【０００１】  本発明は、コンピューターのＵＳキーボードに於いて、文字入力中の両手指の打鍵範囲を限りなく狭められる適切な位置にキーを配置し、文字入力の高効率化を目指し、外国語入力、ローマ字入力及び親指シフト入力を可能とするキー配列の、ＵＳキーボードに関するものである。【０００２】  現行ＵＳキーボードで外国語入力時には、右手指で打鍵するＳｈｉｆｔキーとＲｅｔｕｒｎキーは、右手ホームポジションから離れており、入力作業は非能率的である。またＵＳキーボード使用の日本語入力は、ローマ字入力を余儀なくされている利用者が圧倒的に多く、入力作業は決して快適なものではない。
【発明の概要】
【発明が解決しようとする課題】
【０００３】  本発明は、キーボードで文字入力中、両手指の打鍵範囲を限りなく狭めて、且つ各指のホームポジションから限りなく離れない位置で入力作業することを鉄則とし、効率よく文字入力が可能なキー配置のキーボードを提供する。【０００４】  本発明ＵＳキーボードの狙いは、記号キー、Ｒｅｔｕｒｎキー、Ｓｈｉｆｔキー、Ｂａｃｋ  Ｓｐａｃｅキー等の増設と適切な配置を行い、本来の外国語入力と日本語入力のローマ字入力及び親指シフト入力を可能とするＵＳキーボードを提供する。
【課題を解決するための手段】
【０００５】  キーボード１列目。２列目の「Ｂ」キーの縦中心線の１列目左側に、左から増設Ｒｅｔｕｒｎキー１及び増設左・Ｓｈｉｆｔキー２を並べて配置する。更に「Ｂ」キー縦中心線１列目右側に、左から増設右・Ｓｈｉｆｔキー３とＳｐａｃｅキー４を並べて配置する。日本語入力時には、増設左・Ｓｈｉｆｔキーは「無変換」機能を有し、増設右・Ｓｈｉｆｔキーは「変換」機能を有する。【０００６】  キーボード２列目。Ｓｈｉｆｔキー５を、ホームポジション圏により近づけるべく、記号「？／」キーの右隣に配置する。【０００７】  キーボード３列目。記号「：；」キーの右隣に、左からＢａｃｋ  Ｓｐａｃｅキー６とＲｅｔｕｒｎキー７を並べて配置する。
【発明の効果】
【０００８】  本発明によるキーボードでは、外国語入力、ローマ字入力及び親指シフト入力の３入力モードが可能となる。【０００９】  本発明に於いては、利き指ながらも比較的打鍵頻度の少ない左親指に、増設Ｒｅｔｕｒｎキー打鍵を割り当てることで、従来の右手指打鍵のＲｅｔｕｒｎキーと両用で、左親指打鍵が可能となる。とりわけローマ字入力時のかな漢字変換・選択後の「確定」は、Ｒｅｔｕｒｎキーを頻繁に打鍵するので、右手指の負担が大きく軽減される。【００１０】  キーボード右側の、Ｓｈｉｆｔキー、Ｂａｃｋ  Ｓｐａｃｅキー、Ｒｅｔｕｒｎキー等を右手ホームポジション圏に、より近づけることで右手指の打鍵範囲が狭められ、文字入力の効率向上に寄与する。
【図面の簡単な説明】
【００１１】
【図１】図１は、新標準ＵＳキーボードのキー配列を示した図である。
【符号の説明】１．  増設Ｒｅｔｕｒｎキー
２．  増設左・Ｓｈｉｆｔキー
３．  増設右・Ｓｈｉｆｔキー
４．  Ｓｐａｃｅキー
５．  Ｓｈｉｆｔキー
６．  Ｂａｃｋ  Ｓｐａｃｅキー
７．  Ｒｅｔｕｒｎキー
【手続補正書】
【提出日】平成30年8月31日(2018.8.31)
【手続補正１】
【補正対象書類名】図面
【補正対象項目名】全図
【補正方法】変更
【補正の内容】
【図１】
2019192183.tif 000004